(57)【要約】【課題】  適切な場所に容易に配設することができ、従来よりも果こうを折れにくくする。【解決手段】  先端部２１ａ，３１ａを栽培容器の側壁外方に突出させた状態で、基端部２２ａ，３２ａ同士を栽培容器に充填された培地に所定間隔離間させて突き刺して用いられる一対の脚部２，３と、各脚部２，３の先端部２１ａ，３１ａに連接される第１及び第２の係合部４，５を備えた構成である。一対の脚部２，３の基端部２２ａ，３２ａを培地に突き刺すだけで配置できるため、栽培容器や脚部材に特別の支持機構を設ける必要がないと共に、取り付け、取り外し作業が極めて容易で、また、取り付け位置や取り付け数も任意に設定できる。従って、必要な時期のみ、必要な場所に、必要な個数を極めて容易に配設することができる。また、一対の脚部２，３の基端部２２ａ，３２ａ同士を所定間隔離間させて配設するため、培地に突き刺すだけでありながら、安定して配置できる。【選択図】  図１
2007089428.tif 000002
【特許請求の範囲】
【請求項１】
果実の重みにより下方に垂れ下がる果こうを受ける果こう受け部材を栽培容器に支持させるための果こう受け部材用支持具であって、
先端部を栽培容器の側壁外方に突出させた状態で、基端部同士を栽培容器に充填された培地に所定間隔離間させて突き刺して用いられる一対の脚部と、
前記各脚部の先端部に連接される少なくとも一つの係合部と
を有し、
栽培容器に所定の間隔をおいて複数配設され、各係合部を利用して果こう受け部材を支持することを特徴とする果こう受け部材用支持具。
【請求項２】
前記係合部は、第１の係合部と第２の係合部とを有して構成され、第１の係合部は、前記各脚部の先端部に連接され、第２の係合部は、前記第１の係合部から所定間隔離間した位置に形成されており、
栽培容器に所定の間隔をおいて複数配設され、それぞれの第１及び第２の係合部を利用して果こう受け部材を支持する構成であることを特徴とする請求項１記載の果こう受け部材用支持具。
【請求項３】
前記一対の脚部は側面から見て略Ｌ字状に形成され、先端部から基端部に向かうに従って互いに離間する拡開状態で使用される構造であることを特徴とする請求項１又は２記載の果こう受け部材用支持具。
【請求項４】
前記第１の係合部は、各脚部の先端部から基端部方向に曲成されてなり、第２の係合部は、第１の係合部に連接される直線部を介して連接され、第１の係合部の曲成方向と反対方向に曲成されてなることを特徴とする請求項２又は３記載の果こう受け部材用支持具。
【請求項５】
１本の金属線材を折り曲げ加工し、前記一対の脚部及び前記各係合部が形成されていることを特徴とする請求項１〜４のいずれか１に記載の果こう受け部材用支持具。
【請求項６】
前記一対の脚部の基端部側直線部と先端部側直線部とがなす角度を調整可能であることを特徴とする請求項１〜５のいずれか１に記載の果こう受け部材用支持具。
【請求項７】
請求項１〜６のいずれか１に記載の果こう受け部材用支持具と、
栽培容器に所定間隔をおいて配設される前記果こう受け部材用支持具の各係合部に支持される果こう受け部材と
を有することを特徴とする果こう受け具。
【請求項８】
前記果こう受け部材が、紐状部材又はシート状部材であることを特徴とする請求項７記載の果こう受け具。
【請求項９】
イチゴの果こうを受けるため、イチゴの栽培容器に配設されることを特徴とする請求項７又は８記載の果こう受け具。
【発明の詳細な説明】
【技術分野】
【０００１】
本発明は、イチゴ等の果こうを受けるために栽培容器に付設される果こう受け具用支持部材及び果こう受け具に関する。
【背景技術】
【０００２】
近年、特にイチゴ栽培において、栽培容器を所定の高さで設置して行う高設栽培が普及してきている。高設栽培では、果実を支える果こうが栽培容器の側壁外方へと生長すると共に、果実の重さによりさらに下方に垂れ下がるように生長する。従って、この栽培法の場合、果実がいわば宙吊り状態となるため、この果実の重さにより果こうが折れることがある。果こうが折れるとその先の果実に養水分が行き渡りにくくなり、果実の品質にも悪影響がでる。
【０００３】
上記の点に鑑み、特許文献１〜４では、栽培容器の側壁外方に果こうを受ける果こう受け部材を設ける技術が開示されている。果こう受け部材によって果こうが受け止められることにより、果こうの折れ曲がりが抑制される。
【特許文献１】特開２０００−８３４８７号公報
【特許文献２】特開２００１−３７号公報
【特許文献３】特開２００３−１８９１６号公報
【特許文献４】実用新案登録第３０７４３９５号公報
【発明の開示】
【発明が解決しようとする課題】
【０００４】
しかしながら、特許文献１〜４に開示された果こう受け部材は、いずれも、栽培容器の側壁、あるいは栽培容器を所定の高さで支持している脚部材にブラケット等を固定し、このブラケットに紐状部材等の果こう受け部材を張設している。このため、栽培容器や脚部材にブラケットなどを固定するための機構を設けなければならず、脚部材等の構造が複雑である。また、果こう受け部材は、栽培時期によっては必要ないが、上記のような固定式の場合、ブラケット等を取り外したり取り付けたりする作業が面倒である。一方、ブラケット等を取り付けたままにすることも可能であるが、その場合には、栽培時期によっては作業の邪魔になる。また、いずれの場合も、果こう受け部材の取り付け位置は予め決められた一定箇所であり、取り付け位置の変更の自由度が極めて小さい。イチゴの果こうは、品種、栽培時期、栽培ステージなどにより、発生する場所、長さ、角度等が一定しておらず、発生する場所や長さ等により、予め決められた場所に紐状部材等の果こう受け部材を配置しても、果こうを適切に支持できない場合もある。
【０００５】
本発明は上記に鑑みなされたものであり、容易に取り付け可能であると共に、不要な時期には極めて容易に取り外すことができ、脚部材や栽培容器に特別な支持機構を設ける必要がなく、また、任意の位置に取り付け可能で、イチゴの品種や栽培時期に拘わらず、果こう受け部材を適切な場所に設けることができる果こう受け部材用支持具、並びに、該果こう受け部材用支持具と果こう受け部材とを備えた果こう受け具を提供することを課題とする。
【課題を解決するための手段】
【０００６】
上記した課題を解決するため、請求項１記載の本発明では、果実の重みにより下方に垂れ下がる果こうを受ける果こう受け部材を栽培容器に支持させるための果こう受け部材用支持具であって、
先端部を栽培容器の側壁外方に突出させた状態で、基端部同士を栽培容器に充填された培地に所定間隔離間させて突き刺して用いられる一対の脚部と、
前記各脚部の先端部に連接される少なくとも一つの係合部と
を有し、
栽培容器に所定の間隔をおいて複数配設され、各係合部を利用して果こう受け部材を支持することを特徴とする果こう受け部材用支持具を提供する。
請求項２記載の本発明では、前記係合部は、第１の係合部と第２の係合部とを有して構成され、第１の係合部は、前記各脚部の先端部に連接され、第２の係合部は、前記第１の係合部から所定間隔離間した位置に形成されており、
栽培容器に所定の間隔をおいて複数配設され、それぞれの第１及び第２の係合部を利用して果こう受け部材を支持する構成であることを特徴とする請求項１記載の果こう受け部材用支持具を提供する。
請求項３記載の本発明では、前記一対の脚部は側面から見て略Ｌ字状に形成され、先端部から基端部に向かうに従って互いに離間する拡開状態で使用される構造であることを特徴とする請求項１又は２記載の果こう受け部材用支持具を提供する。
請求項４記載の本発明では、前記第１の係合部は、各脚部の先端部から基端部方向に曲成されてなり、第２の係合部は、第１の係合部に連接される直線部を介して連接され、第１の係合部の曲成方向と反対方向に曲成されてなることを特徴とする請求項２又は３記載の果こう受け部材用支持具を提供する。
請求項５記載の本発明では、１本の金属線材を折り曲げ加工し、前記一対の脚部及び前記各係合部が形成されていることを特徴とする請求項１〜４のいずれか１に記載の果こう受け部材用支持具を提供する。
請求項６記載の本発明では、前記一対の脚部の基端部側直線部と先端部側直線部とがなす角度を調整可能であることを特徴とする請求項１〜５のいずれか１に記載の果こう受け部材用支持具を提供する。
請求項７記載の本発明では、請求項１〜６のいずれか１に記載の果こう受け部材用支持具と、
栽培容器に所定間隔をおいて配設される前記果こう受け部材用支持具の各係合部に支持される果こう受け部材と
を有することを特徴とする果こう受け具を提供する。
請求項８記載の本発明では、前記果こう受け部材が、紐状部材又はシート状部材であることを特徴とする請求項７記載の果こう受け具を提供する。
請求項９記載の本発明では、イチゴの果こうを受けるため、イチゴの栽培容器に配設されることを特徴とする請求項７又は８記載の果こう受け具を提供する。
【発明の効果】
【０００７】
本発明は、先端部を栽培容器の側壁外方に突出させた状態で、基端部同士を栽培容器に充填された培地に所定間隔離間させて突き刺して用いられる一対の脚部と、各脚部の先端部に連接される少なくとも一つの係合部とを備えた構成である。一対の脚部の基端部を培地に突き刺すだけで配置できるため、栽培容器や脚部材に特別の支持機構を設ける必要がないと共に、取り付け、取り外し作業が極めて容易で、また、取り付け位置や取り付け数も任意に設定できる。従って、必要な時期のみ、必要な場所に、必要な個数を極めて容易に配設することができる。また、一対の脚部の基端部同士を所定間隔離間させて配設するため、培地に突き刺すだけでありながら、安定して配置できる。
【０００８】
紐状部材等の果こう受け部材は、このようにして配置した果こう受け部材用支持具の係合部に係合させるだけでよいため、張設作業が容易である。また、果こう受け部材用支持具の取り付け位置は、脚部を培地に差し込むことができればどの位置であってもよいため、果こう受け部材に緩み等が生じた場合などにおいては、果こう受け部材用支持具を追加的に配設することもでき、果こう受け部材を従来よりも確実に支持できる。また、脚部を構成する先端部側直線部と基端部側直線部とのなす角度を変更することにより、果こう受け部材の張設角度や位置を調整でき、品種の違い等による果こうの発生場所や長さの違い等にも容易に対応でき、果こう折れをより低減することができる。
【発明を実施するための最良の形態】
【０００９】
以下、図面に示した実施の形態に基づき本発明をさらに詳細に説明する。図１〜図５は、本実施形態にかかる果こう受け部材用支持具１を示す図である。これらの図に示したように、果こう受け部材用支持具１は、一対の脚部２，３、第１の係合部４、及び第２の係合部５を有して構成される。
【００１０】
本実施形態の果こう受け部材用支持具１は、１本の針金等の金属線材を折り曲げて形成される。すなわち、所定長の金属線材を略中央部で折り曲げて二つ折りにし、寄り添わせた２本の金属線部１ａ，１ｂを一緒に折り曲げ加工して形成される。まず、一対の脚部２，３は、図２に示したように側面から見て略Ｌ字状に折り曲げ加工され、端部が先端部２１ａ，３１ａとなる先端部側直線部２１，３１と、端部が基端部２２ａ，３２ａとなる基端部側直線部２２，３２とを有している。
【００１１】
先端部２１ａ，３１ａから基端部２２ａ，３２ａ方向に折り返されて湾曲状になっている部分は、第１の係合部４を構成する。第１の係合部４からは、先端部側直線部２１，３１と略平行な直線部６が延び、該直線部６の端部からは先端部２１ａ，３１ａ側に、すなわち、第１の係合部４の曲成方向とは反対方向に曲成された湾曲状の部分が形成され、この湾曲状の部分が第２の係合部５となっている。第２の係合部５の先は、所定長の金属線材を略中央部で二つ折りにした際の折り曲げ部７が位置しているが、本実施形態では、この折り曲げ部７を略円弧状に形成し、第２の係合部５に係合される果実受け部材の抜け止めの機能を持たせている（図１、図３、図４参照）。
【００１２】
果こう受け部材用支持具１は、折り曲げ部７から二つ折りにされた２本の金属線部１ａ，１ｂから構成されいるため、脚部２，３が２本からなるのと同様、上記した第１の係合部４、第２の係合部５及び直線部６も２本からなり、各脚部２，３のそれぞれに連接して形成されていることはもちろんである。しかしながら、脚部２，３が互いに離間して使用されるのに対し、２本の金属線部１ａ，１ｂのうち、第１の係合部４、第２の係合部５及び直線部６を構成する部分は互いに近接させたまま、原則として２本まとめて使用するため、本明細書では、これらの部分は一つの符号で示している。
【００１３】
果こう受け部材用支持具１は、設置前までの工場出荷時や運搬時等においては、図５に示したように、脚部２，３、第１の係合部４及び第２の係合部５等を構成する２本の金属線部１ａ，１ｂを近接させた状態にしておく。これにより複数個を積み重ねても嵩張りが小さくできるため、運搬作業等を容易化できる。
【００１４】
一方、栽培容器１００に設置する場合は、まず、図１に示したように、一対の脚部２，３をその基端部２２ａ，３２ａが最も離間するように開く。次に、図６に示したように、栽培容器１００の培地１１０に、基端部２２ａ，３２ａから突き刺し、基端部側直線部２２，３２を適宜長さ培地に埋設する。この際、脚部２，３の先端部２１ａ，３１ａを含む先端部側直線部２１，３１が栽培容器１００の側壁外方に突出するように設置すると共に、基端部２２ａ，３２ａの突き刺し位置を調整し、すなわち、栽培容器１００の側壁から突き刺し位置までの距離を適宜位置に調整し、側壁外方への先端部側直線部２１，３１の突出長さを適宜長さに調整する。脚部２，３は、基端部２２ａ，３２ａ側が最も離間するように開いて基端部側直線部２２，３２を埋設する構成であるため、各係合部４，５に果実受け部材を支持することによって回転方向に力が加わったとしても、大きくずれが生じることを防止でき、培地１１０に突き刺すだけの構成でありながら安定して設置できる。
【００１５】
果こう受け部材用支持具１は、このようにして栽培容器１００に適宜の間隔で、例えば、０．５〜１．５ｍ毎に設置していく。適宜数設置したならば、各第１の係合部４及び第２の係合部５を利用して果実受け部材を張設する。果実受け部材としては、図６に示したような紐状部材（テープ状、帯状のもの等も含む）２００，２１０、あるいはシート状部材などを用いることができる。紐状部材２００，２１０を用いる場合には、１本目の紐状部材２００を、隣接して設置された果こう受け部材用支持具１の第１の係合部４に順に引っかけていくと共に、２本目の紐状部材２１０を第２の係合部５に順に引っかけていく。これにより、２本の紐状部材２００，２１０が栽培容器１００の外方に略平行に張られることになる。従って、イチゴの果こうは、その長さにより、内側に位置する第２の係合部５に引っかけられた紐状部材２１０によって受けられたり、外側に位置する第１の係合部４に引っかけられた紐状部材２００によって受けられたりする。あるいは、両方の紐状部材２００，２１０によって受けられる。このため、果こうの長さによっては、該果こうが２点で支持されることになるため、一方の紐状部材に荷重が集中することを抑制でき、荷重の分散が図られ、果こうの折れを抑制できる。シート状部材を張設する場合には、例えば、第１の係合部４と第２の係合部５にまたがる幅のものを直線部６の隙間に挟み込むことで配設できる。
【００１６】
本実施形態の果こう受け部材用支持具１は上記の構成からなるため、栽培容器や該栽培容器を支持する脚部材に特別な支持機構を設けることなく、培地に突き刺すだけで配置でき、配設作業が極めて容易である。また、培地に突き刺すだけであるため、配設箇所の自由度が高い。従って、イチゴの品種、果こうの発生場所等に応じて適宜の位置に配設し、果こう受け部材を支持できる。また、栽培容器等に固定されていないため、苗の定植作業時等、果こう受け部材を配設する必要のない時期においては、培地に突き刺していた基端部側直線部２２，３２を引き抜くだけで取り外すことができる。
【００１７】
また、上記のように、脚部２，３の基端部２２ａ，３２ａの突き刺し位置を調整したり、あるいは、脚部２，３の開度（基端部２２ａ，３２ａ間の離間距離）を変更したりすることにより、栽培容器１００の側壁外方における第１の係合部４と第２の係合部５の位置を調整でき、それにより、果こうの長さに見合った位置に紐状部材等の果こう受け部材を設けることができるが、基端部側直線部２２，３２と先端部側直線部２１，３１とのなす角度（図２の角θ）を調整することにより、第１の係合部４と第２の係合部５に取り付けられる果こう受け部材の高さや各係合部４，５に支持される２つの紐状部材２００，２１０の位置関係を、果こうの発生場所や長さ等に応じて適切な位置に調整することも容易である。
【００１８】
なお、上記した実施形態では、２カ所に係合部４，５を設けている。これにより、上記したように、果こう受け部材として、紐状部材を用いた場合に、果こうの長さに応じて２点支持できると共に、シート状部材の張設も容易になるという利点を有するが、係合部が一つの構成であっても、本発明のように果こう受け部材用支持具１の脚部２，３を培地に突き刺して用いる構成とすることにより、栽培容器等に固定して設けていた従来の果こう受け部材用支持具や果こう受け部材と比較して、取り付け、取り外し作業の容易性に優れることはもちろんである。
【図面の簡単な説明】
【００１９】
【図１】図１は、本発明の一の実施形態にかかる果こう受け部材用支持具を示す斜視図である。
【図２】図２は、図１に示した果こう受け部材用支持具の側面図である。
【図３】図３は、図１に示した果こう受け部材用支持具の平面図である。
【図４】図４は、図１に示した果こう受け部材用支持具の正面図である。
【図５】図５は、図１に示した果こう受け部材用支持具の脚部を閉じた状態を示す斜視図である。
【図６】図６は、図１に示した果こう受け部材用支持具を栽培容器に設置し、果こう受け部材を支持させた状態を示す斜視図である。
【符号の説明】
【００２０】
１  果こう受け部材用支持具
２，３  脚部
２１，３１  先端部側直線部
２１ａ，３１ａ  先端部
２２，３２  基端部側直線部
２２ａ，３２ａ  基端部
４  第１の係合部
５  第２の係合部
６  直線部
１００  栽培容器
１１０  培地
２００，２１０  紐状部材
【図１】
2007089428.tif 000003
【図２】
2007089428.tif 000004
【図３】
2007089428.tif 000005
【図４】
2007089428.tif 000006
【図５】
2007089428.tif 000007
【図６】
2007089428.tif 000008